(57)【要約】【課題】複数箇所で別々に調理される食材を組み合わせた商品に対して、適切な消費期限又は賞味期限を簡単に設定できるプリンタ、印字方法、プリンタ制御プログラムを提供する。【解決手段】プリンタ１００は、少なくとも食品の消費期限又は賞味期限を含む印字データを印字するプリンタであって、食品を特定する識別符号の入力を受け付ける操作パネル３４と、識別符号に関連付けて記憶されている消費期限又は賞味期限の設定規則にしたがって消費期限又は賞味期限を設定するＣＰＵ２１と、ＣＰＵ２１が設定した消費期限又は賞味期限を印字するサーマルヘッド制御回路２５及びサーマルヘッド３２とを備える。【選択図】図２
2015033810.tif 000002
【特許請求の範囲】
【請求項１】
少なくとも食品の消費期限又は賞味期限を含む印字データを印字するプリンタであって、
食品を特定する識別符号の入力を受け付ける入力部と、
前記識別符号に関連付けて記憶されている消費期限又は賞味期限の設定規則にしたがって消費期限又は賞味期限を設定する期限設定部と、
前記期限設定部が設定した消費期限又は賞味期限を印字する印字部と、
を備えるプリンタ。
【請求項２】
請求項１に記載のプリンタにおいて、
前記識別符号は、プリンタが設けられている施設への食品の配達時刻と関連付けられており、
前記設定規則は、前記識別符号に関連付けられた前記配達時刻に応じて異なっていること、
を特徴とするプリンタ。
【請求項３】
請求項２に記載のプリンタにおいて、
前記期限設定部は、現在時刻に応じて、消費期限又は賞味期限の設定規則をさらに変更して消費期限又は賞味期限の設定を行うこと、
を特徴とするプリンタ。
【請求項４】
請求項３に記載のプリンタにおいて、
前記期限設定部は、
現在時刻が所定の範囲にあるときには、現在時刻に対して設定規則に応じた時間を加算して消費期限又は賞味期限の設定を行い、
現在時刻が前記所定の範囲外にあるときには、固定の消費期限又は賞味期限を設定すること、
を特徴とするプリンタ。
【請求項５】
請求項１から請求項４までのいずれか１項に記載のプリンタにおいて、
前記食品は、
プリンタが設けられている施設へ配達される配達食品と、
前記施設において調理が行われる調理食品と、
を組み合わせて販売されるものであり、
前記設定規則は、前記配達食品を基準として設定されたものであること、
を特徴とするプリンタ。
【請求項６】
少なくとも食品の消費期限又は賞味期限を含む印字データを印字する印字方法であって、
入力部が食品を特定する識別符号の入力を受け付け、
期限設定部が前記識別符号に関連付けて記憶されている消費期限又は賞味期限の設定規則にしたがって消費期限又は賞味期限を設定し、
印字部が前記期限設定部により設定された消費期限又は賞味期限を印字する、
印字方法。
【請求項７】
少なくとも食品の消費期限又は賞味期限を含む印字データを印字するプリンタのプリンタ制御プログラムであって、
コンピュータを、
食品を特定する識別符号の入力を受け付ける入力手段と、
前記識別符号に関連付けて記憶されている消費期限又は賞味期限の設定規則にしたがって消費期限又は賞味期限を設定する期限設定手段と、
前記期限設定手段が設定した消費期限又は賞味期限を印字する印字手段、
として機能させるためのプリンタ制御プログラム。
【発明の詳細な説明】
【技術分野】
【０００１】
本発明は、消費期限及び賞味期限等の印字データを印字するプリンタ、印字方法、プリンタ制御プログラムに関するものである。
【背景技術】
【０００２】
従来、全ての加工食品には、名称、原材料名、保存方法、製造者の住所及び氏名等に加えて、消費期限又は賞味期限を表示することが各種法律により定められている。スーパーマーケット等においては、これらの情報がラベルに印字され、加工食品を入れた容器に貼付されている。
消費期限及び賞味期限を印字するプリンタとしては、例えば、特許文献１に開示されているようなラベルプリンタが用いられる。
【０００３】
ところで、スーパーマーケットやコンビニエンスストア等では、弁当等の加工食品の一部を店舗で加工し、他の部分については、工場等から配達された食材をそのまま用いて、弁当として組み合わせて販売されることがある。例えば、これらの店舗では、から揚げのみを店舗内において油で揚げて調理し、ごはんや他の惣菜については、工場で調理されたものが店舗に配達され、から揚げと組み合わせて販売することがある。組み合わされたから揚げと工場から配達された食品とを１つの弁当商品として販売する場合にも、１つの商品として消費期限又は賞味期限の表示を行う必要がある。
【０００４】
このような場合には、店舗において調理された食材と、工場において調理された食材との間に、消費期限又は賞味期限の差がある。通常、工場において調理された食材の方が、配達に要する時間等が経過しているため、販売直前に調理されるから揚げよりも消費期限又は賞味期限が早くなっており、この早い期限を表示する必要がある。
【先行技術文献】
【特許文献】
【０００５】
【特許文献１】特開２００５−１３２０６２号公報
【発明の概要】
【発明が解決しようとする課題】
【０００６】
従来のプリンタでは、入力される保存可能期間（日数や時間）と、ラベル印字時の日時とから、自動的に消費期限又は賞味期限が設定される。しかし、上述したように工場において調理された食材と店舗で調理された食材とを組み合わせて販売する場合に、従来の方法で、自動的に消費期限又は賞味期限が設定されてしまうと、店舗で調理された食材の調理時を基準とした誤った消費期限又は賞味期限となってしまう。したがって、従来のプリンタを用いる場合には、利用者は、工場における調理日時を適切に入力する必要がある等、使い勝手が悪かった。また、経験の浅い店員等が誤った使い方をしてしまうと、誤った消費期限又は賞味期限が設定されてしまうおそれがあった。
【０００７】
本発明の課題は、複数箇所で別々に調理される食材を組み合わせた商品に対して、適切な消費期限又は賞味期限を簡単に設定できるプリンタ、印字方法、プリンタ制御プログラムを提供することである。
【課題を解決するための手段】
【０００８】
本発明は、以下のような解決手段により、前記課題を解決する。
【０００９】
請求項１の発明は、少なくとも食品の消費期限又は賞味期限を含む印字データを印字するプリンタであって、食品を特定する識別符号の入力を受け付ける入力部と、前記識別符号に関連付けて記憶されている消費期限又は賞味期限の設定規則にしたがって消費期限又は賞味期限を設定する期限設定部と、前記期限設定部が設定した消費期限又は賞味期限を印字する印字部と、を備えるプリンタである。
【００１０】
請求項２の発明は、請求項１に記載のプリンタにおいて、前記識別符号は、プリンタが設けられている施設への食品の配達時刻と関連付けられており、前記設定規則は、前記識別符号に関連付けられた前記配達時刻に応じて異なっていること、を特徴とするプリンタである。
【００１１】
請求項３の発明は、請求項２に記載のプリンタにおいて、前記期限設定部は、現在時刻に応じて、消費期限又は賞味期限の設定規則をさらに変更して消費期限又は賞味期限の設定を行うこと、を特徴とするプリンタである。
【００１２】
請求項４の発明は、請求項３に記載のプリンタにおいて、前記期限設定部は、現在時刻が所定の範囲にあるときには、現在時刻に対して設定規則に応じた時間を加算して消費期限又は賞味期限の設定を行い、現在時刻が前記所定の範囲外にあるときには、固定の消費期限又は賞味期限を設定すること、を特徴とするプリンタである。
【００１３】
請求項５の発明は、請求項１から請求項４までのいずれか１項に記載のプリンタにおいて、前記食品は、プリンタが設けられている施設へ配達される配達食品と、前記施設において調理が行われる調理食品と、を組み合わせて販売されるものであり、前記設定規則は、前記配達食品を基準として設定されたものであること、を特徴とするプリンタである。
【００１４】
請求項６の発明は、少なくとも食品の消費期限又は賞味期限を含む印字データを印字する印字方法であって、入力部が食品を特定する識別符号の入力を受け付け、期限設定部が前記識別符号に関連付けて記憶されている消費期限又は賞味期限の設定規則にしたがって消費期限又は賞味期限を設定し、印字部が前記期限設定部により設定された消費期限又は賞味期限を印字する、印字方法である。
【００１５】
請求項７の発明は、少なくとも食品の消費期限又は賞味期限を含む印字データを印字するプリンタのプリンタ制御プログラムであって、コンピュータを、食品を特定する識別符号の入力を受け付ける入力手段と、前記識別符号に関連付けて記憶されている消費期限又は賞味期限の設定規則にしたがって消費期限又は賞味期限を設定する期限設定手段と、前記期限設定手段が設定した消費期限又は賞味期限を印字する印字手段、として機能させるためのプリンタ制御プログラムである。
【発明の効果】
【００１６】
本発明によれば、プリンタは、入力された識別符号に応じて、配達時刻を基にした正しい消費期限を自動で設定し、印字を行う。よって、プリンタは、複数箇所で別々に調理される食材を組み合わせた商品に対して、適切な消費期限又は賞味期限を簡単に設定できる。
また、プリンタは、現在時刻が所定の範囲にあるときには、現在時刻に対して設定規則に応じた時間を加算して消費期限又は賞味期限の設定を行い、現在時刻が前記所定の範囲外にあるときには、固定の消費期限又は賞味期限を設定する。よって、閉店時間帯となる夜間等の特定の時間帯に期限となる場合に、期限を一定の時間となるようにでき、消費期限切れ商品の廃棄管理を行いやすく、選別ミスを低減できる。
【図面の簡単な説明】
【００１７】
【図１】本発明によるプリンタ１００の実施形態を示す図である。
【図２】プリンタ１００の電気的な構成例を示すブロック図である。
【図３】図３は、本実施形態のプリンタ１００が設定して印字する消費期限の例を示す図である。
【図４】実施形態のプリンタ１００の動作を示すフローチャートである。
【図５】識別符号１９０１（１回目の配達品）をプリンタ１００に入力して印字を行った印字例を示す図である。
【発明を実施するための形態】
【００１８】
以下、本発明を実施するための最良の形態について図面等を参照して説明する。
【００１９】
（実施形態）
図１は、本発明によるプリンタ１００の実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２０】
本実施形態のプリンタ１００は、操作パネル３４と、表示部３５と、把持部４０と、カバー４１と、電源スイッチ４２と、排出口４３とを備えたラベルプリンタである。
【００２１】
操作パネル３４は、プリンタ１００の上面に配置されており、プリンタ１００に対して各種データやコマンドを入力するときに操作される。操作パネル３４は、食品を特定する識別符号の入力を受け付ける入力部として機能する。
【００２２】
表示部３５は、プリンタ１００の上面に配置されており、各種情報の表示を行う。本実施形態では、表示部３５は、カバー４１に埋め込まれている形態としているが、カバー４１に対して回転移動可能な形態として、より視認しやすい角度に自由に位置を調整可能としてもよい。
なお、操作パネル３４と表示部３５とを、タッチパネル等に置き換えてもよい。
【００２３】
把持部４０は、プリンタ１００を把持するための部材であり、支点を中心として回転移動可能に取り付けられている。本実施形態のプリンタ１００は、この把持部４０を有することからわかるように、容易に移動可能な小型のプリンタである。
【００２４】
カバー４１は、プリンタ１００の外装を形成している。
【００２５】
電源スイッチ４２は、プリンタ１００の電源のＯＮ／ＯＦＦを切り替えるスイッチであり、プリンタ１００の手前側の側面に設けられている。
【００２６】
排出口４３は、印字処理が行われた用紙を排出する。
【００２７】
図２は、プリンタ１００の電気的な構成例を示すブロック図である。
プリンタ１００は、制御部２０と、ステッピングモータ３１と、サーマルヘッド３２と、センサ３３と、図１に示した操作パネル３４及び表示部３５とを備えている。
【００２８】
制御部２０は、ＲＯＭ（read only memory）２３と、ＣＰＵ（central processing unit）２１と、ＲＡＭ（random access memory）２２と、モータ制御回路２４と、サーマルヘッド制御回路２５と、ラベル検出回路２６と、操作パネル制御回路２７と、カレンダＩＣ２８と、オンライン通信制御回路２９と、データバス／コントロールバス３７を備え、各部の制御を行う。
【００２９】
ＲＯＭ２３は、プリンタ制御プログラム、各種固定データ、制御テーブルデータ、ＩＯ定数、モータ制御プログラム、通信制御プログラム等を記憶する。また、本実施形態のＲＯＭ２３は、識別符号に関連付けて設定されている消費期限又は賞味期限の設定規則と、商品名や、原材料情報、価格等を記憶している。なお、商品名や、原材料情報等と、設定規則は、本実施形態では、ＲＯＭ２３に記憶されているが、例えば、プリンタ１００内のＲＡＭ２２の不揮発領域や、ホストコンピュータ２００に記憶させておいてもよい。識別符号及び設定規則については、後述する。
【００３０】
ＣＰＵ２１は、ＲＯＭ２３に記憶されている各種制御プログラムにしたがって動作し、各部を制御する。
また、ＣＰＵ２１は、後述する識別符号に関連付けてＲＯＭ２３に記憶されている消費期限又は賞味期限の設定規則にしたがって消費期限又は賞味期限を設定する期限設定部としての機能を有している。
【００３１】
ＲＡＭ２２は、ＣＰＵ２１が動作する上で必要となるフラグデータを記憶するフラグエリア、ＣＰＵ２１が動作する上で必要となる各種データを記憶するワークエリア、及び、印字データが展開される印字展開エリアを有する。
【００３２】
モータ制御回路２４は、ステッピングモータ３１を制御する。
【００３３】
サーマルヘッド制御回路２５は、ＣＰＵ２１の制御にしたがい、ＲＡＭ２２の印字展開エリアに展開された印字すべき文字、図形、及びバーコード等の印字データに対応する制御信号を生成し、生成した制御信号をサーマルヘッド３２に供給して印字動作を行わせる。このサーマルヘッド制御回路２５及びサーマルヘッド３２は、期限設定部としてのＣＰＵ２１が設定した消費期限又は賞味期限を印字する印字部として機能する。
【００３４】
ラベル検出回路２６は、ＣＰＵ２１の制御にしたがい、センサ３３の不図示の発光部を制御し、光を出射させ、センサ３３の不図示の受光部から出力される電気信号を受け取り、デジタルのデータに変換してＣＰＵ２１に供給する。
【００３５】
操作パネル制御回路２７は、操作パネル３４を制御し、操作パネル３４から入力されたデータやコマンドをＣＰＵ２１に供給する。
【００３６】
カレンダＩＣ２８は、計時処理を行い、現在の日時を示すカレンダ情報（年月日及び時刻からなる情報）を出力する。
【００３７】
オンライン通信制御回路２９は、ホストコンピュータ２００等の外部機器との間のオンライン通信を制御する。
【００３８】
データバス／コントロールバス３７は、各部間で各種データやコマンドの授受を行う。
【００３９】
ステッピングモータ３１は、不図示の搬送機構を駆動して用紙（ラベル）を搬送方向に搬送駆動する。
【００４０】
サーマルヘッド３２は、発熱体を選択的に発熱させることにより、用紙に不図示のインクリボンからインクを転写させて印字を行う。また、サーマルヘッド３２は、感熱用紙に対して印字を行うこともできる。
【００４１】
センサ３３は、用紙を検出する光センサであり、不図示の発光部と受光部とを備えている。
【００４２】
図３は、本実施形態のプリンタ１００が設定して印字する消費期限の例を示す図である。
ここで、図３に示す消費期限の印字を行うプリンタ１００の利用場面について説明する。ここでは、コンビニエンスストアにプリンタ１００が設置されて利用される場合を想定する。そして、この例では、コンビニエンスストアには、ごはん、鶏肉、野菜等、から揚げ弁当に必要な食材が配達便により１日につき３回配達されて来るものとする。なお、ごはんと野菜等は、から揚げを追加することによりから揚げ弁当として提供可能な状態に工場で調理済である。鶏肉については、コンビニエンスストア内において、から揚げに調理されて、弁当のおかずとされて、販売される。また、から揚げの調理が終わって弁当に仕上げられた段階で消費期限を印字したラベルが発行される。また、本実施形態では、ごはん類の保存時間は６時間、から揚げの保存時間は８時間であるものとする。なお、から揚げの調理が行われるのは、食材が配達されてから３時間から４時間程度後であることが通常である。
【００４３】
本実施形態のプリンタ１００は、入力される保存可能期間（日数や時間）と、ラベル印字時の日時とから、自動的に消費期限を設定して印字する従来のプリンタと同様な通常モードに加えて、以下に説明する識別符号利用モードを備えている。以下、この識別符号利用モードについて説明する。
【００４４】
識別符号利用モードでは、プリンタ１００は、入力された識別符号に関連付けて記憶されている設定規則にしたがって消費期限の設定を行い、ラベルに消費期限を印字する。
識別符号は、商品毎に異なる記号、番号、又はこれらの組み合わせにより設定されており、商品名や、原材料情報等に加えて、消費期限の設定規則と関連付けられている。また、識別符号は、プリンタ１００が設けられている施設（例えば、コンビニエンスストア等の店舗）への食品の配達時刻と関連付けられている。
【００４５】
図３に示した例では、識別符号を、１９０１から１９５０（以下、１回目配達品と呼ぶ）と、１９５１から１９７５（以下、２回目配達品と呼ぶ）と、１９７６から２０００（以下、３回目配達品と呼ぶ）との３つのグループを有している。この３つのグループは、店舗への配達時刻に対応している。すなわち、店舗へは、３回の配達時刻が異なる配達便があり、その配達便毎に、識別符号が分けられている。そして、同じグループの（同じ配達便の）識別符号については、消費期限の設定規則が同じものとなっている。
【００４６】
また、各識別符号においても、現在時刻によってどのような消費期限を設定するのかが異なっている。すなわち、ＣＰＵ２１は、現在時刻が所定の範囲にあるときには、現在時刻に対して設定規則に応じた時間を加算して消費期限の設定を行う。一方、現在時刻が前記所定の範囲外にあるときには、固定の消費期限を設定する。この規則は、設定規則に設定されている。
【００４７】
図３の例をより具体的に説明する。
１回目配達品では、現在時刻が２：００から１７：５９の間は、時刻加算により消費期限の設定を行う。ここで、時刻加算とは、現在時刻に対して設定規則に応じた時間を加算して消費期限の設定を行うことであり、配達された食品の工場における調理時刻に対して所定時間（保存時間）を追加した時刻を消費期限とする設定方法を指している。本実施形態では、１回目配達品の工場調理時刻は、１９：００であり、ごはん類の保存時間の６時間を加算して、消費期限を１：００と設定して印字を行う。なお、例えば、１０：００に１回目配達品のラベルを印字しようとすると、すでに消費期限を過ぎてしまっているので、そのような場合には、エラー表示を行うようにしてもよい。
また、１回目配達品であっても、現在時刻が０：００から１：５９の間は、当日の２：００に消費期限を設定し、現在時刻が１８：００から２３：５９の間は、翌日の２：００に消費期限を設定する。すなわち、上述の時刻加算以外の時間帯については、固定の消費期限を設定する。これは、本実施形態のコンビニエンスストアが２：００閉店６：００開店であり、消費期限切れ商品の廃棄管理において、閉店時間の２：００に統一して表示した方が管理しやすいからである。
【００４８】
２回目配達品では、現在時刻が５：００から２０：５９の間は、時刻加算により消費期限の設定を行う。本実施形態では、２回目配達品の工場調理時刻は、２０：００であり、ごはん類の保存時間の６時間を加算して、消費期限を２：００と設定して印字を行う。
また、２回目配達品であっても、現在時刻が０：００から４：５９の間は、当日の５：００に消費期限を設定し、現在時刻が２１：００から２３：５９の間は、翌日の５：００に消費期限を設定する。すなわち、上述の時刻加算以外の時間帯については、固定の消費期限を設定する。
【００４９】
３回目配達品では、現在時刻が１：００から１６：５９の間は、時刻加算により消費期限の設定を行う。本実施形態では、２回目配達品の工場調理時刻は、２３：００であり、ごはん類の保存時間の６時間を加算して、消費期限を４：００と設定して印字を行う。
また、２回目配達品であっても、現在時刻が０：００から０：５９の間は、当日の１：００に消費期限を設定し、現在時刻が１７：００から２３：５９の間は、翌日の１：００に消費期限を設定する。すなわち、上述の時刻加算以外の時間帯については、固定の消費期限を設定する。
【００５０】
なお、識別符号には、上述した３つの他に、１から１９００、２００１から９９９９も利用可能である。これらの場合には、現在時刻にかかわらずに、時刻加算により消費期限が設定される。ただし、この２つの識別符号は、上述したような複数の消費期限の管理が不要な商品に利用されるものであり、配達時刻との関係は存在していない。
【００５１】
次に、本実施形態のプリンタ１００の動作について説明する。
図４は、実施形態のプリンタ１００の動作を示すフローチャートである。
【００５２】
ステップ（以下、Ｓとする）１０１では、識別符号がどのグループに属するのかを判断する。識別符号が１９０１から１９５０の場合には、Ｓ１０２へ進む。識別符号が１から１９００の場合、又は、識別符号が２００１から９９９９の場合には、Ｓ１０５へ進む。識別符号が１９５１から１９７５の場合には、Ｓ１０６へ進む。識別符号が１９７６から２０００の場合には、Ｓ１０９へ進む。
なお、図４中において、識別符号が１９５１から１９７５の場合と、識別符号が１９７６から２０００の場合について、Ｓ１０１の同一の分岐ポイントから矢印を引き出しているが、これは、このＳ１０１において４分岐をしており、これを分かりやすく示すための表記である。よって、識別符号が１９５１から１９７５の場合と、識別符号が１９７６から２０００の場合との間に、特別な関係性があるといったことを示すものではない。
【００５３】
Ｓ１０２では、現在時刻により次に進むステップを変更する判断を行う。現在時刻が１８：００から２３：５９の間は、Ｓ１０３へ進む。現在時刻が０：００から１：５９の間は、Ｓ１０４へ進む。現在時刻が２：００から１７：５９の間は、Ｓ１０５へ進む。
【００５４】
Ｓ１０３では、翌日の２：００を消費期限と設定して印字を行い、その後、動作を終了する。
【００５５】
Ｓ１０４では、当日の２：００を消費期限と設定して印字を行い、その後、動作を終了する。
【００５６】
Ｓ１０５では、時刻加算により消費期限を設定して印字を行う、その後、動作を終了する。
【００５７】
Ｓ１０６では、現在時刻により次に進むステップを変更する判断を行う。現在時刻が５：００から２０：５９の間は、Ｓ１０５へ進む。現在時刻が０：００から４：５９の間は、Ｓ１０７へ進む。現在時刻が２１：００から２３：５９の間は、Ｓ１０８へ進む。
【００５８】
Ｓ１０７では、当日の５：００を消費期限と設定して印字を行い、その後、動作を終了する。
【００５９】
Ｓ１０８では、翌日の５：００を消費期限と設定して印字を行い、その後、動作を終了する。
【００６０】
Ｓ１０９では、現在時刻により次に進むステップを変更する判断を行う。現在時刻が０：００から０：５９の間は、Ｓ１１０へ進む。現在時刻が１７：００から２３：５９の間は、Ｓ１１１へ進む。現在時刻が１：００から１６：５９の間は、Ｓ１０５へ進む。
【００６１】
Ｓ１１０では、当日の１：００を消費期限と設定して印字を行い、その後、動作を終了する。
【００６２】
Ｓ１１１では、翌日の１：００を消費期限と設定して印字を行い、その後、動作を終了する。
【００６３】
図５は、識別符号１９０１（１回目の配達品）をプリンタ１００に入力して印字を行った印字例を示す図である。
本実施形態では、プリンタ１００に識別符号を入力するだけで、図５に示すように、配達時刻を基にした正しい消費期限を、商品名や原材料、価格等と共に簡単に印字を行うことができる。
【００６４】
以上説明したように、本実施形態によれば、プリンタ１００は、入力された識別符号に応じて、配達時刻を基にした正しい消費期限を自動で設定し、印字を行う。よって、プリンタ１００は、複数箇所で別々に調理される食材を組み合わせた商品に対して、適切な消費期限又は賞味期限を簡単に設定できる。また、閉店時間帯となる夜間等の特定の時間帯に消費期限となる場合に、消費期限を一定の時間となるようにするので、消費期限切れ商品の廃棄管理を行いやすく、選別ミスを低減できる。
【００６５】
なお、本明細書及び請求項中においては、当業者の通常の用法として、プリンタによる各種情報の出力を「印字」と記載している。しかし、「印字」との記載は、上述したように、プリンタによる情報の出力を指すものであり、図５に例示したように文字の出力に限らず、バーコード等の図形や画像等の出力も含む広義の意味であるものとする。
【００６６】
（変形形態）
以上説明した実施形態に限定されることなく、種々の変形や変更が可能であって、それらも本発明の範囲内である。
【００６７】
実施形態において、容易に移動可能な小型のプリンタを例に挙げて説明した。これに限らず、例えば、より大型の据置型のプリンタであってもよい。
【００６８】
実施形態において、識別符号は、操作パネル３４を用いて入力する例を挙げて説明した。これに限らず、例えば、プリンタにハンドスキャナ等を設けて、配達された食品に添付されたバーコードを読むことにより識別符号を入力してもよいし、ＩＣチップ等を利用して識別符号を入力してもよい。
【００６９】
実施形態において、識別符号に対して配達時刻又は工場等における調理時刻は、固定値とした例を挙げて説明した。これに限らず、例えば、別途用意された配達システムと連携して、実際に店舗等に配達された時刻や調理時刻等を取り込むことができるようにしてもよい。
【００７０】
なお、実施形態及び変形形態は、適宜組み合わせて用いることもできるが、詳細な説明は省略する。また、本発明は以上説明した各実施形態によって限定されることはない。
【符号の説明】
【００７１】
２０    制御部
２１    ＣＰＵ
２２    ＲＡＭ
２３    ＲＯＭ
２４    モータ制御回路
２５    サーマルヘッド制御回路
２６    ラベル検出回路
２７    操作パネル制御回路
２８    カレンダＩＣ
２９    オンライン通信制御回路
３１    ステッピングモータ
３２    サーマルヘッド
３３    センサ
３４    操作パネル
３５    表示部
３７    コントロールバス
４０    把持部
４１    カバー
４２    電源スイッチ
４３    排出口
１００  プリンタ
２００  ホストコンピュータ
【図１】
2015033810.tif 000003
【図２】
2015033810.tif 000004
【図３】
2015033810.tif 000005
【図４】
2015033810.tif 000006
【図５】
2015033810.tif 000007